【事件の表示】
　特許第２９２３８５７号「パチンコ機」の請求項１、２に係る特許に対する特許異議の申立てについて、次のとおり決定する。
【結　論】
　訂正を認める。
　特許第２９２３８５７号の請求項１ないし２に係る特許を維持する。
【理　由】
１．手続きの経緯
　本件特許第２９２３８５７号の請求項１、２に係る発明についての出願は、平成２年１２月２８日に特許出願された特願平８−３３５８２７号を、平成１０年５月２７日に分割して特願平１０−１４５５１６号としたものであって、平成１１年５月７日にその発明について特許権の設定登録がなされ、その後、その特許について、異議申立人細江裕実より特許異議の申立てがなされ、取消しの理由が通知され、その指定期間内である平成１２年１１月２８日に訂正請求がなされたものである。
２．訂正の適否についての判断
（１）訂正の内容
　　特許権者が求めている訂正の内容は以下のａ、ｂ、ｃのとおりである。
ア．訂正事項ａ
特許請求の範囲の請求項１および請求項２を、
「【請求項１】遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたことを特徴とするパチンコ機。
【請求項２】中継基板には、パチンコ機に設けられたスピーカと接続する端子が設けられている請求項１に記載のパチンコ機。」と訂正する。
イ．訂正事項ｂ
　明細書の段落番号【０００４】を、
「【課題を解決するための手段】
　本発明は係る問題点を解決するものであり、請求項１に記載した発明は、遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたことを特徴とするパチンコ機である。」と訂正する。
ウ．訂正事項ｃ
　明細書の段落番号【００３４】を、
「【発明の効果】
　以上のように本発明は、遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたので、両制御回路の配線処理及び不正遊技対策並びにパチンコ球数のデータ収集を、中継基板上で集約しておこなうことができ、誤配線の恐れがなく、作業能率が極めて良好である。また、スピーカの接続が容易で効果音を容易に放声することができ、パチンコ遊技を著しく盛り上げることができる。」と訂正する。
（２）訂正の目的の存否、新規事項の有無、及び特許請求の範囲の拡張・変更の存否
訂正事項ａについて
　上記訂正事項ａに関連する記載として、願書に添付した明細書（以下、「特許明細書」という）の段落番号【０００８】には、「また、前記リアプレート３には蝶番５を介して可動枠体６を開閉可能に蝶着する。この可動枠体６は分離可能な上枠体部分６ａと下枠体部分６ｂとからなり、上枠体部分６ａには賞球制御装置を設けると共に賞球誘導路や賞球放出路等を設ける。尚、遊技盤２ａの裏面には入賞装置等、主に遊技盤側の制御を行う遊技制御回路（ボックス）９′が遊技盤２ａに対して着脱自在に装着されている。一方、下枠体部分６ｂにはセーフ球通路やセーフ球検出装置等を設ける。また、前記可動枠体６には遊技盤２ａの後方に臨む球寄せカバー７を設ける。そして、この球寄せカバー７の下方位置のリアプレート３には固定枠体８を設けて発射制御装置、入賞制御装置、賞球制御装置等の処理を行う本体制御回路（ボックス）９を設ける。」と記載され、段落番号【０００９】には、「この本体制御回路（ボックス）９は前記遊技制御回路（ボックス）９′と信号線によって後述する中継基板８５を介して接続され、前記入賞検出装置がセーフ球を検出した場合、前記本体制御回路（ボックス）９は前記遊技制御回路（ボックス）９′に、入賞口に対応した賞球数を問合わせる信号を発生させ、該問合わせ信号の発生に基づいて前記遊技制御回路（ボックスス）９′は各入賞口に対応した賞球数を表す賞球数信号を発生させ、該賞球数信号の発生に基づいて前記賞球制御装置が所定数の賞球を払い出すように構成してある。また、前記固定枠体８の下方に打球発射装置の駆動部１０や上皿から溢れた球を下皿に誘導する下皿誘導樋１１等を設ける。」と記載され、段落番号【０００７】には、「パチンコ機１の外枠に開閉可能に蝶着した前面枠２の背面側には、遊技盤２ａを収納可能な金属板からなるリアプレート３を添設すると共に、このリアプレート３の背面側にベース本体４等の機構枠体を添設する。」と記載され、段落番号【００１０】には、「前記ベース本体４には遊技者に払い出す賞球を貯留する上タンク１２を設けると共に、該上タンク１２の下方に賞球誘導樋１３を着脱可能に設けて、前記した上枠体部分６ａ内に収設した賞球誘導路に連通可能とする。」と記載され、段落番号【００１３】には、「また、前記ベース本体４の一隅には、後述する球検出装置１９を着脱可能に止着する検出装置嵌入部２０を設ける。また、この検出装置嵌入部２０の下方には電気的コネクタ手段２１を固定すると共に配線ケーブルを押さえ込む止着部材２２を設け、この止着部材２２の傍には本体制御回路（ボックス）９の配線ケーブルを逃すための凹陥部２３を形成する。」と記載され、段落番号【００２０】には、「前記検出装置嵌入部２０と反対側の端部付近には、前記本体制御回路（ボックス）９からの配線ケーブル及び不正防止としてパチンコ機本体に設けた磁気検出手段、金枠開放検出手段等の配線ケーブルを管理コンピュータ（図示せず）に中継する中継基板取付部１６が形成されると共に、この中継基板取付部１６には、中継基板８５が止着されている。」と記載され、【図３】及び【図４】には、それぞれパチンコ機１の賞球を貯留する上タンク１２を設けたベース本体４に中継基板取付部１６を設けた点が明示されている。さらに、段落番号【００２７】には、「更に、この中継基板８５には、パチンコ島に設置してある電源装置（図示せず）と接続する本体電源端子８７を設けると共に、該本体電源端子８７から分電され、前記遊技制御回路（ボックスス）９′に電源を供給する遊技制御回路電源端子９４及び前記本体制御回路（ボックス）９に電源を供給する本体制御回路電源端子９５が配設されている。これにより、前記遊技盤２ａとパチンコ機本体との電気的接続は、全て前記中継基板８５を介しておこなわれる。」と記載され、【図６】には、中継基板８５に、外部の電源回路を接続するための本体電源端子８７と、遊技制御回路電源端子９４及び本体制御回路電源端子９５とをそれぞれ設けた点が明示されている。
　したがって、上記訂正事項ａによる訂正は、願書に添付した明細書及び図面に記載された事項の範囲内に基づき、特許明細書の特許請求の範囲の減縮を目的とするものであり、新規事項の追加に該当せず、また、実質的に特許請求の範囲を拡張または変更するものではない。
訂正事項ｂ〜ｃについて
　訂正事項ｂ〜ｃは、訂正事項ａによる特許請求の範囲を訂正したことに伴う訂正であり、明りょうない記載の釈明を目的とするものである。
（３）むすび
　以上のとおりであるから、上記訂正は特許法第１２０条の４第２項及び第３項において準用する第１２６条第２、第３項の規定に適合するので、当該訂正を認める。
３．特許異議の申し立てについて
（１）申立ての理由の概要
　特許異議申立人細江裕実は、異議申立ての証拠として、甲第１号証〜甲第５号証を提出して、特許２９２３８５７号の請求項１，請求項２に係る発明は、甲第１号証に甲第２号証を適用することにより、当業者が容易に発明をすることができたものであるから、特許法第２９条第２項の規定に該当し、その特許は、特許法第１１３条第２号の規定により取り消すべきものであり、また、請求項２に係る発明は、甲第１号証に甲第２号証及び甲第３号証を適用することにより、当業者が容易に発明をすることができたものであるから、特許法第２９条第２項の規定に該当し、その特許は、特許法第１１３条第２号の規定により取り消すべきものである旨主張している。
（２）本件発明
　特許第２９２３８５７号の請求項１、２に係る発明（以下、それぞれ「本件発明１」、「本件発明２」という。）は、平成１２年１１月２８日付けの訂正明細書の特許請求の範囲の請求項１、請求項２に記載された事項により特定される次のとおりのものである。
【請求項１】「遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたことを特徴とするパチンコ機。」
【請求項２】「中継基板には、パチンコ機に設けられたスピーカと接続する端子が設けられている請求項１に記載のパチンコ機。」
（３）当審が通知した取消理由で引用した引用刊行物
刊行物１：特開昭６３−１６８１９４号公報（甲第１号証）
刊行物２：特開昭６４−５５８０号公報（甲第２号証）
刊行物３：実願昭５５−１１８５２７号（実開昭５７−４２８７５号）のマ　　　　　イクロフィルム（甲第３号証）
（４）刊行物に記載された発明
　刊行物１には、「（１）１パチンコ機には少なくとも入賞球があったことを検出する入賞球検出器と、賞球排出装置の上タンク内の予備球の残量を検出する完了検出器と、特別遊技態様が発生したことを検出する特別遊技態様検出部とを設け、パチンコ機裏側上部一側には、上記各検出手段からの信号をパチンコ機外部へ出力するための接続端子が集約的に設けられてなる入出力装置を設け、上記入賞球検出器、完了検出器、特別遊技態様検出部からの信号線の一端を上記入出力装置へ集合させて接続したことを特徴とするパチンコ機の入出力装置。
（２）上記入出力装置には、打球発射装置の電気的駆動源を制御する発射制御部と、パチンコ機へ電源を供給する電源供給部と、遊技制御装置へ電源を供給するフィーダコンセントとを設けたことを特徴とする特許請求の範囲第１項記載のパチンコ機の入出力装置。」（公報第１頁左下欄５行〜同頁右上欄１行）と記載され、「その実施例の入出力装置１０は、基板１１と、この基板１１上に固定された４個の受側コネクタ１２，１３，１４，１５と、電源用フィーダコンセント１６と、・・・基板１１によってパチンコ機１の裏面、右上隅に固定されている。また、入出力装置１０の基板１１には、・・・電源に接続されるプラグ１８ａを有する給電用配線１８が接続され、上記フィーダコンセント１６を介して基板１１からパチンコ機裏面および前面のランプやモータ等の電気系統に給電するようになっている。上記受側コネクタ１２〜１５のうち、コネクタ１２は入賞球検出信号の出力用、コネクタ１３は完了検出信号の出力用、また、コネクタ１４は特別遊技態様検出信号の出力用の接続端子とされる。・・・上記コネクタ１２，１３には、パチンコ機裏面の第１図で示すような位置にそれぞれ配設されている入賞球検出器ＳＷ１，完了検出器ＳＷ２から引き出された信号線Ｌ２，Ｌ３の他端が接続されている。」（公報第２頁右下欄９行〜第３頁左上欄１０行）と記載され、「第３図の回路からも明らかなように、打球発射系および賞球排出系と、遊技盤における遊技の制御系（波線Ａで示す）とが電気的に完全に分離されているため、パチンコ機の交換に際して遊技盤のみ取り換え、他の部分は元の機械をそのまま使うことが可能となる。」（公報第４頁左下欄２０行〜同頁右下欄５行）と記載され、「静電気サンサ４０を設けることにより、遊技客が電子ライタ等を用いて金枠１１１に静電気信号を与え、これによって遊技盤背部の制御系にノイズを発生させて、変動入賞装置等を不当に動作させるという不正行為を検出することが可能となる。」（公報第５頁右上欄１５行〜同欄１９行）と記載され、「また、パチンコ機１の上方には上タンク２２（第４図参照）」（公報第６頁左上欄３行〜４行）と記載され、「上記バス２６０とパチンコ機側の検出器ＳＷ１、ＳＷ２，ＳＷ３，ＳＷ９および補給用ソレノイドＳＯＬとの間に、前記インターフェイス装置２５０が接続され、パチンコ機１と管理装置２４０との間で信号が入出力が可能とされている。」（公報第６頁左上欄１７行〜同頁右上欄１行）と記載され、「以上説明したようにこの発明は、パチンコ機側には、フレーム、金枠等の静電気を検出するための静電気検出器、・・・入賞口付近に磁石等を近づけられたことを検出するマグネット検出器、・・・パチンコ機裏側の上部一側に、上記検出器の信号の出力端子（コネクタ）等を集約的に有する入出力装置を設けて、・・・入出力装置の出力端子から一括して管理装置等に入力できるようにしたので、」（公報第１１頁右上欄１０行〜同頁左下欄４行）と記載されている。
　刊行物２には、「パチンコ遊技機１の裏面の中央付近には入賞装置の制御回路を有する電役基板２３が設けられ、電役基板２３の側部には賞球排出装置の制御回路を有するケース基板２４が賞球ケース２２に設けられ、・・・ケース基板２４の下方には防犯装置の制御回路を有する防犯基板２６が設けられ、防犯基板２６の側部には発射装置の制御回路を有するモー夕基板２７が設けられ、これらの制御回路間が中継線及びコネクタを介して電気的に連絡されている。」（公報第３頁左上欄１５行〜同頁右上欄６行）と記載され、「差込みプラグ３６をＡＣ２４Ｖ電源に差込むと、ＡＣ２４Ｖの電圧がヒューズ３５を介して第１端子板２５Ａのコネク夕Ａ１に入り、コネク夕Ａ１より一方が第１端子板２５Ａのコネク夕Ａ２を経て電役基板２３のコネク夕Ｂ１に入り、コネク夕Ａ１より他方が第１端子板２５Ａのコネク夕Ａ９より防犯基板２６のコネク夕Ｄ１に入って防犯基板２６の電源となり、防犯基板２６のコネクタＤＩに至る途中でコネク夕Ｅ１を経て球切りモー夕Ｍ１を作動して２４Ｖ電源の入力が行なわれる。」（公報第５頁左上欄１５行〜同頁右上欄５行）
と記載されている。
  刊行物３には、「制御装置２９は所定のゲーム内容を記憶させたコンピュータであり、遊技盤１７の裏面に装着する。本考案は、この制御装置２９に対し、叙上の各電気・電子装置及び部品間の配線を、コイン式パチンコ機本体の機能に係るグループ（Ａブロック）と遊技内容に係るグループ（Ｂブロック）との二系統に分離し、各系統の配線を夫々の中継基板３０に集約し、この中継基板３０と制御装置２９とをコネクター等を介して接続したものである。」（明細書第５頁２行〜同頁１２行）と記載されている。
（５）対比・判断
　本件発明１（前者）と刊行物１に記載された発明（後者）とを対比すると、両者は、「遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路と、パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、不正遊技を防止するためにパチンコ機本体側に設けられた不正防止検出手段の信号を管理コンピュータに出力する端子を設けた」の構成で一致するが、
　後者には、前者の「遊技制御回路と接続され前記賞球信号に基づいて所定数の賞球を払い出すパチンコ機本体側の少なくとも賞球制御装置の制御を行う本体制御回路を設けると共に、中継基板には、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電する」という構成が記載も示唆もされていない。
　また、刊行物２および刊行物３にも、前記構成が記載も示唆もされていない。
　したがって、刊行物１ないし刊行物に記載された発明を組み合わせても当業者は、前者の構成を想到することはできない。
　しかも、本件発明は、訂正明細書の請求項１に記載された構成により、訂正明細書に記載されたとおりの顕著な作用効果を奏するもとの認められる。
　また、甲第４号証（特願昭５９−１０５４７６号公報）および甲第５号証（特開平１−１４８２８６号公報）のいずれにも前者の構成は、記載も示唆もされておらず、刊行物１〜刊行物３に記載された発明に甲第４号証および甲第５号証に記載された事項を適用しても本願発明１を発明することはできない。
　してみると、本件発明１は、刊行物１ないし刊行物３に記載された発明に基づいて当業者が容易に発明できたものではない。
　また、本件発明２は、本件発明１を技術的に限定した発明であるので、上記（５）対比・判断で示した理由と同様の理由により、刊行物１ないし刊行物３に記載された発明に基づいて当業者が容易に発明できたものではない。
（６）むすび
　以上のとおりであるから、特許異議申立ての理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１３年３月２７日（２００１．３．２７）
【訂正の要旨】
訂正の要旨
ア．訂正事項ａ
特許請求の範囲の請求項１および請求項２を、
「【請求項１】遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたことを特徴とするパチンコ機。
　【請求項２】中継基板には、パチンコ機に設けられたスピーカと接続する端子が設けられている請求項１に記載のパチンコ機。」と訂正する。
イ．訂正事項ｂ
明細書の段落番号【０００４】を、
「【課題を解決するための手段】
本発明は係る問題点を解決するものであり、請求項１に記載した発明は、遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたことを特徴とするパチンコ機である。」と訂正する。
ウ．訂正事項ｃ
明細書の段落番号【００３４】を、
「【発明の効果】
以上のように本発明は、遊技盤とパチンコ機本体とが分離可能なパチンコ機において、パチンコ機の背面側に入賞装置等の遊技盤側の制御を行いセーフ球の検出信号に基づいて各入賞口に対する賞球数信号を発生する遊技制御回路及び該遊技制御回路と接続され前記賞球数信号に基づいて所定数の賞球を払い出すパチンコ機本体側の少なくとも賞球制御装置の制御を行う本体制御回路を設けると共に、上記パチンコ機の賞球を貯留する上タンクを設けたパチンコ機本体側のベース本体に中継基板取付部を設け、上記中継基板取付部に取り付けた中継基板には、外部の電源回路を接続するための本体電源端子と、上記遊技制御回路に電源を供給する遊技制御回路電源端子及び本体制御回路に電源を供給する本体制御回路電源端子とをそれぞれ設け、上記本体電源端子から上記遊技制御回路電源端子及び本体制御回路電源端子に分電すると共に、不正遊技を防止するためにパチンコ機本体側に設けられた不正防止検出手段の信号又は上記本体制御回路からパチンコ球数に関する信号を管理コンピュータに出力する端子を設けたので、両制御回路の配線処理及び不正遊技対策並びにパチンコ球数のデータ収集を、中継基板上で集約しておこなうことができ、誤配線の恐れがなく、作業能率が極めて良好である。また、スピーカの接続が容易で効果音を容易に放声することができ、パチンコ遊技を著しく盛り上げることができる。」と訂正する。
（５４）【発明の名称】
パチンコ機
（５７）【特許請求の範囲】
　【請求項１】　遊技盤とパチンコ機本体とが分離可能なパチンコ機において、パチンコ機の背面側に
入賞装置等の
いセーフ球の検出信号に基づいて各入賞口に対する賞球数信号を発生する
該遊技制御回路と接続され前記賞球数信号に基づいて所定数の賞球を払い出す
少なくとも賞球制御装置の
を設けると共に、上記パチンコ機の賞球を貯留する上タンクを設けたパチンコ機本体側のベース本体に
するための本体電源端子と
に電源を供給する遊技制御回路電源端子
に電源を供給する本体制御回路電源端子とをそれぞれ設け、上記本体電源端子から上記遊技制御回路電源端子及び本体制御回路電源端子
　【請求項２】　中継基板には、パチンコ機に設けられたスピーカと接続する端子が設けられている請求項１に記載のパチンコ機。
【発明の詳細な説明】
　【０００１】
　【発明の属する技術分野】
　本発明は、遊技盤側の制御を行う遊技制御回路及びパチンコ機本体側の制御を行う本体制御回路を備え、本体背面に設けられた中継基板における両制御回路との配線処理の集約化を可能にするパチンコ機に関するものである。
　【０００２】
　【従来の技術】
　パチンコ機は、近年、新しい技術が導入され、電子化が進むと共に、特に管理コンピュータを用いて複数のパチンコ機を一括管理するようになってから、構造が更に複雑になり、遊技盤の背面に設けられた遊技制御手段関連、パチンコ機本体に設けられたパチンコ機本体制御手段関連、及び電源系からの配線が増加し、複雑化する傾向にあった。
　【０００３】
　【発明が解決しようとする課題】
　それ故に、遊技制御及び本体制御関連の配線が集約化されておらず、特に電源系においては、安全のために挿入してあるヒューズ切れがしばしば発生し、その都度上記ヒューズを交換しなければならない。このヒューズの交換作業は、種々の電気部品のコードが雑然と配線されていた従来のパチンコ機においては、前面枠を半開きにした状態の狭い空間で行わなければならず、甚だ手間の掛かる厄介な作業である。
　【０００４】
　【課題を解決するための手段】
　本発明はかかる問題点を解決するものであり、請求項１に記載した発明は、遊技盤とパチンコ機本体とが分離可能なパチンコ機において、パチンコ機の背面側に
入賞装置等の
いセーフ球の検出信号に基づいて各入賞口に対する賞球数信号を発生する
該遊技制御回路と接続され前記賞球数信号に基づいて所定数の賞球を払い出す
少なくとも賞球制御装置の
を設けると共に、上記パチンコ機の賞球を貯留する上タンクを設けたパチンコ機本体側のベース本体に
するための本体電源端子と
に電源を供給する遊技制御回路電源端子
に電源を供給する本体制御回路電源端子とをそれぞれ設け、上記本体電源端子から上記遊技制御回路電源端子及び本体制御回路電源端子
　【０００５】
　また、請求項２に記載した発明は、中継基板には、パチンコ機に設けられたスビーカと接続する端子が設けられているパチンコ機である。
　【０００６】
　【発明の実施の形態】
　以下本発明の一実施の形態を図面に基づいて説明すると、図１はパチンコ機１の概略背面図、図２は図１の部分拡大図、図３は図２の平面図、図４は図２の側面図、図５は図４の断面図、図６は図２の詳細図、図７は図２のＡ−Ａ線断面図、図８は図２の部分背面図である。
　【０００７】
　パチンコ機１の外枠に開閉可能に蝶着した前面枠２の背面側には、遊技盤２ａを収納可能な金属板からなるリヤプレート３を添設すると共に、このリヤプレート３の背面側にベース本体４等の機構枠体を添設する。
　【０００８】
　また、前記リヤプレート３には蝶番５を介して可動枠体６を開閉可能に蝶着する。この可動枠体６は分離可能な上枠体部分６ａと下枠体部分６ｂとからなり、上枠体部分６ａには賞球制御装置を設けると共に賞球誘導路や賞球放出路等を設ける。尚、遊技盤２ａの裏面には入賞装置等、主に遊技盤側の制御を行う遊技制御回路（ボックス）９´が遊技盤２ａに対して着脱自在に装着されている。一方、下枠体部分６ｂにはセーフ球通路やセーフ球検出装置等を設ける。また、前記可動枠体６には遊技盤２ａの後方に臨む球寄せカバー７を設ける。そして、この球寄せカバー７の下方位置のリヤプレート３には固定枠体８を設けて発射制御装置、入賞制御装置、賞球制御装置等の処理を行う本体制御回路（ボックス）９を設ける。
　【０００９】
　この本体制御回路（ボックス）９は前記遊技制御回路（ボックス）９′と信号線によって後述する中継基板８５を介して接続され、前記入賞球検出装置がセーフ球を検出した場合、前記本体制御回路（ボックス）９は前記遊技制御回路（ボックス）９′に、入賞口に対応した賞球数を問合わせる信号を発生させ、該問合わせ信号の発生に基づいて前記遊技制御回路（ボックス）９′は各入賞口に対応した賞球数を表す賞球数信号を発生させ、該賞球数信号の発生に基づいて前記賞球制御装置が所定数の賞球を払い出すように構成してある。また、前記固定枠体８の下方に打球発射装置の駆動部１０や上皿から溢れた球を下皿に誘導する下皿誘導樋１１等を設ける。
　【００１０】
　前記ベース本体４には遊技者に払い出す賞球を貯留する上タンク１２を設けると共に、該上タンク１２の下方に賞球誘導樋１３を着脱可能に設けて、前記した上枠体部分６ａ内に収設した賞球誘導路に連通可能とする。
　【００１１】
　前記ベース本体４は、主に上タンク１２をリヤプレート３に止着するための部材であって、リヤプレート３側に空部を有するほぼ皿状をなし、前記リヤプレート３の上方の所定位置に位置決めボス１４ａ及び１４ｂによって位置決めされた上、止着ビス１５等で適宜固定する。尚、このベース本体４には係合溝が設けてあり、後述する上タンク１２の係合片が係合するようになっている。
　【００１２】
　更に、このベース本体４には、前記した可動枠体６を止着するロック部材１８や、後述する賞球誘導樋１３から球が流出するのを防ぐストッパー部材等を設ける。
　【００１３】
　また、前記ベース本体４の一隅には、後述する球検出装置１９を着脱可能に止着する検出装置嵌入部２０を設ける。また、この検出装置嵌入部２０の下方には電気的コネクタ手段２１を固定すると共に配線ケーブルを押え込む止着部材２２を設け、この止着部材２２の傍には本体制御回路（ボックス）９の配線ケーブルを逃すための凹陥部２３を形成する。
　【００１４】
　前記上タンク１２は、リヤプレート３にベース本体４を介して止着される上面及び背面側が開放する箱状であって、前記したベース本体４の凹溝に当該上タンク１２の開放周縁を嵌合して止着ビス１５ａ等でベース本体４に適宜固定する。前記上タンク１２の底部１２ａの一隅には縦横共に複数列の球が同時に通過できるほぼ矩形の連通孔２４として、例えばＨ１＝４０ｍｍ、Ｈ２＝８５ｍｍを開設し（球径＝１１ｍｍ）、この連通孔２４に向けて緩い傾斜Ａ、Ｂ、Ｃを設けると共に、階段状のリブＤを複数設けて、開口部付近において球が互いに押圧し合って詰まってしまう所謂ブリッジ現象或は俵積み現象を起こさないように適宜工夫した形状としてある。
　【００１５】
　前記のような上タンク１２の一隅には球検出装置１９を臨ませる。この球検出装置１９は、ケース７０内にユニット化されており、いつでも着脱が容易である。
　【００１６】
　即ち、前記ケース７０は、例えば一面が開口する浅い箱枠状であってプラスチック材からなり、底板部７１及び一方側の側板部７２に切欠口７３及び切欠部７４が夫々設けてある。このケース７０内には配線基板７５を収設し、該配線基板７５には必要な配線をプリント配線すると共に、検出スイッチのソケット７６を設ける。また、この配線基板７５には発光源として例えば発光ダイオード７７を植設し、この発光ダイオード７７の光が遊技盤２ａの前面側に届くようにする。
　【００１７】
　前記配線基板７５にはコネクタ手段２１の一方を構成する例えば雄型の端子部２１ａをケース７０の底板部７１に開設した切欠口７３に臨むように設ける。この雄型の端子部２１ａに対応してコネクタ手段２１の他方を構成する雌型の端子部２１ｂはベース本体４に設けてあり、前記ケース７０を着脱することにより雄型の端子部２１ａと雌型の端子部２１ｂとが電気的に継脱される。また、前記連通孔２４側の側壁部を連通孔２４の幅で側方に膨出させて凸室２５を設け、該凸室２５に、上方を上タンク１２側のボス３４ａにインサート成型した揺動支軸２６により揺動自在とした揺動部材である検出レバー２７を収納する。前記ソケット７６には、検出スイッチとして例えばマイクロスイッチ３１を着脱自在に嵌着し、該マイクロスイッチ３１から揺動自在に延出するアクチュエータ３２の端部を前記ケース７０の側板部７２に開設した切欠部７４から若干突出するようになす。そして、前記ケース７０をパチンコ機１の本体側であるベース本体４に止着した状態のときに、前記検出レバー２７の作動部３３に臨むようにする。これにより、前記検出レバー２７は、上タンク１２に充填した球の押圧を受け、揺動支軸２６を支点として揺動し、作動部３３をアクチュエータ３２側に突出させる。
　【００１８】
　更に、前記ケース７０には、当該ケース７０をベース本体４に止着するための係合突起７８を設けると共に操作片７９を設ける。この係合突起７８及び操作片７９は、ケース７０の上板部８０から背板部８１にかけて切り込んだ２本の平行する切込溝８２，８２によって形成してあり、前記係合突起７８をベース本体４の仕切板部８３に開設した係合口８４に弾着することにより、ケース７０をベース本体４に止着することができ、ケース７０を外すときには、操作片７９を係合突起７８が係合口８４から外れるように押し曲げながら引き抜けばよい。このとき、コネクタ手段２１の一方の端子部２１ｂがベース本体４に固定されているので、コネクタ手段２１の両端子部２１ａ，２１ｂの接続も外れる。尚、図示の実施例ではベース本体４に設けた検出装置嵌入部２０の側部がケース７０の側板部７２に摺接すると共に、ベース本体４の仕切板部８３にケース７０の背板部８１が摺接して側部及び仕切板部８３がケース７０のガイドになっている。
　【００１９】
　そして、前記した配線基板７５に植設した発光ダイオード７７は、例えば完了表示灯として利用する。このため図示の実施形態では発光ダイオード７７を３個並設して光量を増大させている。尚、図示していないが、ベース本体４や機構枠体及び遊技盤２ａには前記発光ダイオード７７の光が遊技盤２ａの遊技レール（図示せず）で囲まれた遊技部外の左右上方の前面に届くように透光部が設けてある。
　【００２０】
　前記検出装置嵌入部２０と反対側の端部付近には、前記本体制御回路（ボックス）９からの配線ケーブル及び不正防止としてパチンコ機本体に設けた磁気検出手段、金枠開放検出手段等の配線ケーブルを管理コンピュータ（図示せず）に中継する中継基板取付部１６が形成されると共に、この中継基板取付部１６には、中継基板８５が止着されている。
　【００２１】
　この中継基板８５には発光ダイオード８６を設けて、前記した完了表示灯と同様に光を遊技盤２ａの前面に導いて、遊技者に賞球を払い出す賞球制御装置の作動に同期して賞球の払出状態を可視表示する賞球表示灯とする。
　【００２２】
　また、中継基板８５には、本体制御回路（ボックス）９の信号線を接続する本体端子９１、遊技制御回路（ボックス）９´と本体制御回路（ボックス）９との間で前記した賞球数を問合わせる信号や賞球数を表す賞球信号を交信するための信号線を接続する接続端子９２、パチンコ機本体に設けてあるスピーカと接続するスピーカ端子９３が設置されている。
　【００２３】
　更に、中継基板８５には、不正防止としてパチンコ機本体に設置される磁気検出回路及び金枠開放検出回路と接続する磁気不正防止回路端子８８及び金枠開放検出回路端子８９、入賞球数信号、アウト球数信号、補給信号、打球発射停止信号等を制御する本体制御回路（ボックス）９及び前記端子８８、８９等を一括して管理コンピュータに接続するためのデータ出力端子９０が設置されている。
　【００２４】
　一方、遊技盤２ａの背面に装着された遊技制御回路（ボックス）９′から管理コンピュータに出力される各種の情報データ、例えば大当りの回数データ、始動回数データ、大当り時の継続回数データ等を出力するデータ出力端子９’ａを取着した中継基板９´ｂが臨む開口窓１７を隣接して開設する。
　【００２５】
　この際、中継基板９′ｂは、遊技制御回路（ボックス）９′と同様、遊技盤２ａの背面に装着されており、開口窓１７を通して、データ出力端子９′ａは管理コンピュータと接続するように配置されている。
　【００２６】
　このようにして、遊技盤２ａ側のデータ及びパチンコ機本体側のデータは容易に管理コンピュータに伝送することが可能になる。
　【００２７】
　更に、この中継基板８５には、パチンコ島に設置してある電源装置（図示せず）と接続する本体電源端子８７を設けると共に、該本体電源端子８７から分電され、前記遊技制御回路（ボックス）９′に電源を供給する遊技制御回路電源端子９４及び前記本体制御回路（ボックス）９に電源を供給する本体制御回路電源端子９５が配設されている。これにより、前記遊技盤２ａとパチンコ機本体との電気的接続は、全て前記中継基板８５を介しておこなわれる。
　【００２８】
　本発明は、前記中継基板８５上において、前記本体電源端子８７と、前記遊技制御回路電源端子９４及び前記本体制御回路電源端子９５の間に、夫々、過電流防止用ヒューズ９８，９９を設けている。これにより、前記遊技制御回路（ボックス）９′か、あるいは前記本体制御回路（ボックス）９に、何らかの理由で異常電流が流れた場合に、前記ヒューズ９８またはヒューズ９９が融断することにより、前記遊技制御回路（ボックス）９′並びに前記本体制御回路（ボックス）９を保護すると共に、前記ヒューズ９８，９９の交換を前記中継基板８５上でおこなうことができ、安全であると共に効率よく作業が実施できる。即ち、従来のように電源ケーブルの途中にヒューズを設けていないので、ヒューズの交換のためにケーブルを引き出したり、垂れ下がって支持を失った状態でヒューズの交換をおこなう必要がない。
　【００２９】
　また、図示の実施形態では、前記中継基板８５上に、前記各々のヒューズが切れたことを可視表示するヒューズ切れ表示手段を設けている。このヒューズ切れ表示手段は、例えば前記各々のヒューズ９８、９９に夫々電気的に並列に接続された抵抗器及びＬＥＤ（発光ダイオード）から成るヒューズ切れ表示灯９６、９６１により構成する。そして、ヒューズ９８、９９が切れた際には、ヒューズ切れ表示灯９６、９６’が点灯してヒューズ切れを可視表示する。従って、点検等の際には、中継基板８５を注目するのみで、各制御回路の電源系の異常が容易に発見可能となり、保守管理を容易におこなえる。
　【００３０】
　更に、前記中継基板８５上に、前記ヒューズ９８と電気的に直列に接続した前記遊技制御回路（ボックス）９′用のオンオフ切換のメインスイッチ（トグルスイッチ）１０１が配設されている。これにより、前記遊技制御回路（ボックス）９′のオンオフは、前記中継基板８５上でおこなえるようになる。従って、遊技制御回路（ボックス）９′に対する給電を適宜に停止することができ、給電中に当該遊技制御回路（ボックス）９′を取り外して破損させることもない。また、遊技制御回路或は遊技盤に配設した図柄表示装置等が暴走した場合には、上記メインスイッチ１０１を一旦オフすることにより、容易に電源を落して初期状態に戻すことができる。
　【００３１】
　なお、前記中継基板８５上に、前記ヒューズ９９と電気的に直列に接続した前記本体遊技制御回路（ボックス）９用のオンオフ切換のメインスイッチを設けてもよく、この二つのメインスイッチは連動型のスイッチでもよい。
　【００３２】
　一方、前記中継基板８５上には、前記本体電源端子８７（ＡＣ２４Ｖ）に誤って、例えば、ＡＣ１００Ｖの電源コネクタを繋いでも前記遊技制御回路（ボックス）９′及び前記本体制御回路（ボックス）９が破壊されないように遊技制御回路（ボックス）９′及び前記本体制御回路（ボックス）９への分電を制限する過電圧防止回路１００を配設し、異常電圧が入力されると異常検出表示灯９７が点灯して異常を報知するように構成する。
　【００３３】
　以上、本発明を図面の実施例について説明したが、本発明は上記した実施形態に限定されるものではなく、特許請求の範囲に記載した構成を変更しない限り適宜に実施できる。
　【００３４】
　【発明の効果】
　以上のように本発明は、遊技盤とパチンコ機本体とが分離可能なパチンコ機において、パチンコ機の背面側に
入賞装置等の
いセーフ球の検出信号に基づいて各入賞口に対する賞球数信号を発生する
該遊技制御回路と接続され前記賞球数信号に基づいて所定数の賞球を払い出す
少なくとも賞球制御装置の
を設けると共に、上記パチンコ機の賞球を貯留する上タンクを設けたパチンコ機本体側のベース本体に
するための本体電源端子と
に電源を供給する遊技制御回路電源端子
に電源を供給する本体制御回路電源端子とをそれぞれ設け、上記本体電源端子から上記遊技制御回路電源端子及び本体制御回路電源端子
【図面の簡単な説明】
　【図１】
　パチンコ機の概略背面図である。
　【図２】
　図１の部分拡大図である。
　【図３】
　図２の平面図である。
　【図４】
　図２の側面図である。
　【図５】
　図４の断面図である。
　【図６】
　図２の詳細図である。
　【図７】
　図２のＡ−Ａ線断面図である。
　【図８】
　図２の部分背面図である。
　【符号の説明】
　１　パチンコ機
　２ａ　遊技盤
　９　本体制御回路（ボックス）
　９′　遊技制御回路（ボックス）
　９′ａ　データ出力端子
　９′ｂ　中継基板
　８５　中継基板
　８７　本体電源端子
　８８　磁気不正防止回路端子
　８９　金枠開放検出回路端子
　９０　データ出力端子
　９１　本体端子
　９２　接続端子
　９３　スピーカ端子
　９４　遊技制御回路電源端子
　９５　本体制御回路電源端子
　９６、９６′　ヒューズ切れ表示灯
　９７　異常検出表示灯
　９８、９９　ヒューズ
　１００　過電圧防止回路
　１０１　メインスイッチ